(57)【特許請求の範囲】
【請求項１】
充電用端子を有する携帯電話機の外装を構成するケースに取着される保護カバーであって、
前記ケースは、
表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、
該第２のケースの下端面と左右側面の接続近傍が曲面状に形成された接続側面に設けられた前記充電用端子を有し、
前記保護カバーは、
前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、
外部からの電磁誘導により交流電力を出力する受電コイルと、
前記受電コイルから出力される前記交流電力を安定化された直流電力に変換し、該直流電力が前記カバー側端子に出力する充電電源生成部と、
を備える携帯電話機の保護カバー。
【請求項２】
前記保護カバーは非磁性材料で形成されている
請求項１記載の携帯電話機の保護カバー。
【請求項３】
前記保護カバーは前記ケースの表面に合わされる基板と、この基板の両側から起立し前記ケースの側面に合わされる側板とを有し、前記受電コイルはその巻回中心を通る軸線が前記基板の輪郭の中心を通るように前記基板に設けられている
請求項１記載の携帯電話機の保護カバー。
【請求項４】
前記カバー側端子は、前記充電用端子の前記接続側面に対して、弾接された状態で接続される
請求項１記載の携帯電話機の保護カバー。
【請求項５】
前記カバー側端子は、バネ性を有し、導電性を有する金属材料で形成された
請求項４記載の携帯電話機の保護カバー。
【請求項６】
当て付け面を有する充電用ケースと、
交流電力を発生する電源部と、
前記充電用ケースに前記電源部からの前記交流電力を供給する給電コイルと備え、
前記充電用ケースの当て付け面に携帯電話機のケースを覆う保護カバーの底面が当接され、
前記ケースは、
表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、
該第２のケースの下端面と左右側面の接続近傍が曲面状に形成された接続側面に設けられた前記充電用端子を有し、
前記保護カバーは、
前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、
外部からの電磁誘導により交流電力を出力する受電コイルと、
前記受電コイルから出力される前記交流電力を安定化された直流電力に変換し、該直流電力が前記カバー側端子に出力する充電電源生成部とを有し、
前記給電コイルは該給電コイルの巻回中心を通る軸線が前記当て付け面に対向する前記受電コイルの輪郭の中心を通るように設けられている、
携帯電話機の充電システム。
【請求項７】
充電用端子を有する携帯電話機の外装を構成するケースに取着される保護カバーであって、
前記ケースは、
表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、
該第２のケースの下端面と左右側面の接続近傍が曲面状に形成された接続側面に設けられた前記充電用端子を有し、
前記保護カバーは、
前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、
前記保護カバーが前記第１と第２のケースに取着された状態で前記保護カバーの外方に臨む箇所に設けられ外部から照射される光により電力を生成する太陽電池と、
前記太陽電池から出力される前記電力を安定化された直流電力にし、該直流電力が前記カバー側端子に出力する充電電源生成部と、
を備える携帯電話機の保護カバー。
【請求項８】
前記保護カバーは非磁性材料で形成されている
請求項７記載の携帯電話機の保護カバー。
【請求項９】
前記カバー側端子は、前記充電用端子の前記接続側面に対して、弾接された状態で接続される
請求項７記載の携帯電話機の保護カバー。
【請求項１０】
前記カバー側端子は、バネ性を有し、導電性を有する金属材料で形成された
請求項９記載の携帯電話機の保護カバー。
【発明の詳細な説明】
【技術分野】
【０００１】
本発明は携帯電話機の保護カバーおよび充電装置に関する。
【背景技術】
【０００２】
携帯電話機は、その外装を構成するケースに充電用端子が設けられている。
携帯電話機を充電する場合には、携帯電話機をそれに対応する充電装置に装着することにより、携帯電話機の充電用端子を充電装置の給電用端子に接続させ、給電端子から充電用端子に電力を供給している。
このように充電用端子と給電用端子とを接続する方法では、端子同士を確実に接続しなくてはならないため、充電を行う毎、携帯電話機を充電装置に対して正確に位置決めして装着しなくてはならず、使い勝手の向上を図る上で不利がある。
そこで、端子同士を接触することなく充電ができる、電磁誘導による非接触充電機能を設けた携帯電話機が提案されている（特許文献１参照）。
また、携帯電話機に太陽電池を組み込み、太陽電池によって生成された電力で携帯電話機を充電するようにしたものが提案されている（特許文献２、３参照）。
【特許文献１】特開２００３−２７２９３８号公報
【特許文献２】特開平９−１８６６２３号公報
【特許文献３】特開２００５−５７９８３号公報
【発明の開示】
【発明が解決しようとする課題】
【０００３】
しかしながら、電磁誘導による非接触充電機能を携帯電話機に設ける場合には、受電コイルや受電コイルから出力される交流電力を安定化された直流電力に変換する回路などを携帯電話機に組み込む必要がある。
また、太陽電池を携帯電話機に設ける場合も、太陽電池や太陽電池から出力される電力を安定化された直流電力に変換する回路などを携帯電話機に組み込む必要がある。
したがって、携帯電話機の小型化、低コスト化を図る上で不利がある。また、非接触充電機能や太陽電池による充電機能は、全てのユーザーが必要としているわけではないので、オプション的に後から機能を追加できるようにすることが望まれている。
本発明はこのような事情に鑑みなされたもので、その目的は、携帯電話機の小型化、低コスト化を妨げることなく、充電機能を携帯電話機に容易に追加する上で有利な保護カバーおよびそのような保護カバーに対応した充電装置を提供することにある。
【課題を解決するための手段】
【０００４】
上述の目的を達成するため、本発明の携帯電話の保護カバーは、充電用端子を有する携帯電話機の外装を構成するケースに取着される保護カバーであって、前記ケースは、表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、該第２のケースの下端面と左右側面の接続近傍が曲面状に形成された接続側面に設けられた前記充電用端子を有し、前記保護カバーは、前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、外部からの電磁誘導により交流電力を出力する受電コイルと、前記受電コイルから出力される前記交流電力を安定化された直流電力に変換し、該直流電力が前記カバー側端子に出力する充電電源生成部と、を備える。
また、本発明の携帯電話機の充電システムは、当て付け面を有する充電用ケースと、交流電力を発生する電源部と、前記充電用ケースに前記電源部からの前記交流電力を供給する給電コイルと備え、前記充電用ケースの当て付け面に携帯電話機のケースを覆う保護カバーの底面が当接され、前記ケースは、表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、該第２のケースの下端面と左右側面の接続近傍が曲面状に形成された接続側面に設けられた前記充電用端子を有し、前記保護カバーは、前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、外部からの電磁誘導により交流電力を出力する受電コイルと、前記受電コイルから出力される前記交流電力を安定化された直流電力に変換し、該直流電力が前記カバー側端子に出力する充電電源生成部とを有し、前記給電コイルは該給電コイルの巻回中心を通る軸線が前記当て付け面に対向する前記受電コイルの輪郭の中心を通るように設けられている。
また、本発明の携帯電話の保護カバーは、充電用端子を有する携帯電話機の外装を構成するケースに取着される保護カバーであって、前記ケースは、表示画面を有する第１のケースとデータが入力される第２のケースで構成され、該第１と第２のケースがそれぞれ直方体の形状を成し、前記第１のケースの下端面と前記第２のケースの上端面が互いにヒンジ部によって揺動可能に連結され、該第２のケースの下端面と左右側面の接続近傍が曲面状に形成された接続側面に設けられた前記充電用端子を有し、前記保護カバーは、前記第１と第２のケースが連結されたときの表示画面とデータ入力面に対して反対側の外面と、前記第１のケースの上端面と左右側面と、前記第２のケースの左右側面と下端面とを覆って前記保護カバーが取着されたときに、前記第２のケースの前記接続側面に対向した位置の該保護カバーの側面の内壁から突設され、前記充電用端子と接触して接続されるカバー側端子と、前記保護カバーが前記第１と第２のケースに取着された状態で前記保護カバーの外方に臨む箇所に設けられ外部から照射される光により電力を生成する太陽電池と、前記太陽電池から出力される前記電力を安定化された直流電力にし、該直流電力が前記カバー側端子に出力する充電電源生成部と、を備える。
【発明の効果】
【０００５】
本発明の携帯電話機の保護カバーによれば、携帯電話機の小型化、低コスト化を妨げることがなく非接触充電機能、あるいは、太陽電池による充電機能を容易に実現することができる。
また、本発明の充電装置によれば、携帯電話機を載置する方向に拘わらず、電磁誘導の効率を確保して充電動作を確実に行う上で有利となる。
【発明を実施するための最良の形態】
【０００６】
（第１の実施の形態）
次に本発明の実施の形態について図面を参照して説明する。
図１（Ａ）は本実施の形態の保護カバー４０が装着される携帯電話機１０の正面図、（Ｂ）は（Ａ）のＢ矢視図、（Ｃ）は（Ａ）のＣ矢視図である。
まず、保護カバー４０が装着される携帯電話機１０から説明する。
図１に示すように、携帯電話機１０は第１、第２のケース１４、１６を有している。
第１、第２のケース１４、１６は、それぞれ、厚さと、厚さよりも大きな寸法の幅と、幅よりも大きな寸法の長さを有する矩形板状を呈している。
第１のケース１４は、内面１４０２、外面１４０４、左右の側面１４０６、１４０８、上端面１４１０、下端面１４１２を有している。
第２のケース１６は、内面１６０２、外面１６０４、左右の側面１６０６、１６０８、上端面１４１０、下端面１６１２を有している。
第１、第２のケース１４、１６は、第１のケース１４の下端面１４１２と第２のケース１６の上端面１６１０がヒンジ部１８によって揺動可能に連結されている。
したがって、携帯電話機１０は、第１、第２のケース１４、１６が開かれた展開状態と、第１、第２のケース１４、１６が重ね合わされた折り畳み状態との間で開閉される。
第１、第２のケース１４、１６は、それらを閉じて平面視した状態で第１、第２のケース１４、１６の輪郭がほぼ一致するように構成されている。
第１のケース１４の内面１４０２にはディスプレイ２０が設けられ、第２のケース１６の内面１６０２にはテンキーや機能キーなどの操作スイッチ２２が設けられている。
第２のケース１６の下端面１６１２の幅方向両側に位置する角部にはそれぞれ充電用端子２４が外方に臨んで設けられている。
それら２つの充電用端子２４は一方が正極、他方が負極とされ、導電性を有する金属材料で形成されている。
【０００７】
図７は携帯電話機１０、保護カバー４０、充電装置６０の制御系の構成を示すブロック図である。
図７に示すように、携帯電話機１０は、充電制御部２６、バッテリー２８、被電源供給部３０を含んでいる。
充電制御部２６は、２つの充電用端子２４から供給される直流電力をバッテリー２８に供給することでバッテリー２８を充電する。
充電制御部２６は、バッテリー２８の過充電が発生することなく適切な充電がなされるように充電時間や充電電流の監視制御を行い、バッテリー２８の残量などを含む充電情報を生成するように構成されている。
バッテリー２８は、例えばリチウムイオン電池などで構成され、被電源供給部３０に対して電力を供給するように構成されている。
被電源供給部３０は、例えば、携帯電話１０の通信動作を行う通信部、ディスプレイ２０の表示動作を行う表示部、操作スイッチ２２の操作にまつわる動作を行う操作部など、携帯電話機１０の機能を実現する電子回路を含んでいる。また、充電制御部２６で生成された前記充電情報は被電源供給部３０に供給され、非電源供給部３０の前記表示部が前記充電情報に基づいてバッテリー２８の残量を示す情報をディスプレイ２０に表示させるようにしている。
【０００８】
次に保護カバー４０について説明する。
図２（Ａ）は携帯電話機１０に保護カバー４０が取着された状態を示す平面図、（Ｂ）は（Ａ）のＢ矢視図、（Ｃ）は（Ｂ）のＣ矢視図、（Ｄ）は（Ａ）のＤ矢視図である。
図２に示すように、保護カバー４０は、携帯電話機１０の第１のケース１４に取着される第１の保護カバー４２と、第２のケース１６に取着される第２の保護カバー４４とを備え、第２の保護カバー４４に本発明が適用されている。
第１の保護カバー４２は、第１のケース１４の外面１４０４の全域を覆う基板、前記底板の左右両側から起立され左右の側面１４０６、１４０８の外面１４０４寄りの部分を覆う左右の側板、前記基板の上端から起立され上端面１４１０の外面１４０４寄りの部分を覆う上側の側板を有している。
第１の保護カバー４２は、第１のケース１４に嵌合されることで取着され、あるいは、両面粘着テープにより取着されている。
【０００９】
第２の保護カバー４４は、第２のケース１６の外面１６０４の全域の全域を覆い外面１６０４に合わされる基板４４０２、基板４４０２の左右両側から起立され左右の側面１６０６、１６０８の外面１６０４寄りの部分を覆う左右の側板４４０４、４４０６、基板４４０２の下端から起立され下端面１６１２の外面１６０４寄りの部分を覆う下側の側板４４０８を有している。
第２の保護カバー４４は、例えば、左右の側板４４０４、４４０６間の寸法が第２のケース１６の左右幅よりも若干小さく形成され、それら左右の側板４４０４、４４０６が第２のケース１６に嵌合されることで取着され、あるいは、両面粘着テープにより取着されている。
第１、第２の保護カバー４２、４４は非磁性材料で構成され、このような非磁性材料として硬質の合成樹脂材料を採用可能である。
保護カバー４０は、落下時などに携帯電話機１０に加わる衝撃を緩和する機能を有しており、また、保護カバー４０の色やデザインにより携帯電話機１０の外観をユーザーの好みに変化させることができるようになっている。
【００１０】
図３は（Ａ）は携帯電話機１０に取着された状態における第２の保護カバー４４の構成を示す平面図、（Ｂ）は（Ａ）のＢ矢視図、（Ｃ）は（Ｂ）のＣ矢視図、（Ｄ）は（Ａ）のＤ矢視図、図４は第２の保護カバー４４のカバー側端子４６の斜視図である。
図３、図７に示すように、第２の保護カバー４４は、２つのカバー側端子４６と、配線基板４８と、受電コイル５０と、充電電源生成部５２と、接続部５４とを備える。
図３（Ｂ）、（Ｃ）、図４に示すように、２つのカバー側端子４６は、第２の保護カバー４４の左右の側板４４０４、４４０６と下側の側板４４０８との接続部分の内面にそれぞれ突設されている。
各カバー側端子４６は、第２の保護カバー４４が第２のケース１６に装着されることで、各カバー側端子４６が各充電用端子２４に接触し電気的に接続されるように構成されている。
各カバー側端子４６は導電性を有する金属材料によって形成され、本実施の形態では、各カバー側端子４６は充電用端子２４に弾接するようにばね性を有して形成され、各充電用端子２４に対して電気的な接続が確実にとられるように図られている。
【００１１】
図３（Ｂ）、（Ｃ）、（Ｄ）に示すように、配線基板４８（プリント基板）は、第２の保護カバー４４の基板４４０２に設けられている。
配線基板４８の表面には、受電コイル５０と、充電電源生成部５２と、接続部５４とが設けられ、配線基板４８の裏面は基板４４０２の表面の一部を構成している。
図７に示すように、受電コイル５０は、外部からの電磁誘導により交流電力を出力するものである。
本実施の形態では、図３（Ｂ）、（Ｃ）、（Ｄ）に示すように、受電コイル５０はその巻回中心を通る軸線が基板４４０２の中心（第２の保護カバー４４の基板４４０２の長さ方向と幅方向の中心）を通り、かつ、基板４４０２の厚さ方向を通るように設けられている。
図７に示すように、充電電源生成部５２は、受電コイル５０から出力される交流電力を安定化された直流電力に変換するものである。
本実施の形態では、充電電源生成部５２は、受電コイル５０の両端から供給される交流電力を直流電力に変換する整流部５２０２と、整流部５２０２から供給される直流電力を所望の電圧（例えば５ＶＤＣ）および電流に安定化して出力する安定化電源部５２０４とを備える。
図３（Ｃ）、図７に示すように、接続部５４は、カバー側端子４６と充電電源生成部５２とを接続するものであり、本実施の形態では、カバー側端子４６と安定化電源部５２０４の出力端とを接続する配線部材によって構成されている。
【００１２】
次に、充電装置６０について説明する。
図５（Ａ）は保護カバー４０が取着された携帯電話機１０を充電装置６０に載置した状態を側方から見た図、（Ｂ）は（Ａ）のＢ矢視図、図６は図５（Ｂ）のＣ矢視図である。
図５に示すように、充電装置６０はケース６２を有し、ケース６２は机や棚などに載置される底部６２０２と、底部６２０２の後部から起立された起立部６２０４を有している。
底部６２０２の上面には斜め後方に傾斜した第１の当て付け面６２１０が形成され、起立部６２０４が第１の当て付け面６２１０に接続する箇所には第１の当て付け面６２１０と直交する第２の当て付け面６２１２が形成されている。
第２の当て付け面６２１２は、保護カバー４０が取着され前記折り畳み状態にある携帯電話機１０の輪郭、言い換えると、第２の保護カバー４４の輪郭とほぼ同じ大きさか一回り大きな寸法の矩形状を呈する平坦面で形成されている。
したがって、図５（Ａ）、図６に示すように、保護カバー４０が取着され前記折り畳み状態にある携帯電話機１０は、第１、第２の保護カバー４４、４６のその左右両側の何れか一方の側板４４０４、４６０４、あるいは、側板４４０６、４６０６が第１の当て付け面６２１０に当接されるとともに、第２の保護カバー４６の基板４６０２の外面が第２の当て付け面６２１２に当接された状態で充電装置６０に載置される。
【００１３】
図７に示すように、充電装置６０は、配線基板６４、給電コイル６６、ＤＣ／ＡＣインバータ６８、制御部７０を有している。
図６に示すように、配線基板６４は、ケース６０の起立部６２０４の内部に設けられ第２の当て付け面６２１２に沿って延在しており、配線基板６４上に給電コイル６６、ＤＣ／ＡＣインバータ６８、制御部７０が設けられている。
給電コイル６６は、ＤＣ／ＡＣインバータ６８から供給される交流電流により電磁誘導用の磁界を発生するものである。
本実施の形態では、給電コイル６６は受電コイル５０よりも大きな外径で形成されている。
本実施の形態では、図６に示すように、給電コイル６６はその巻回中心を通る軸線が第２当て付け面６０１２の輪郭の中心（第２当て付け面６０１２の長さ方向と幅方向の中心）を通り、かつ、第２当て付け面６０１２と直交するように設けられている。
ＤＣ／ＡＣインバータ６８は電源部を構成するものであり、充電装置６０の外部から供給される直流電力に基づいて、例えば、振幅が数１０Ｖで周波数が１００ｋＨｚ程度の交流電力を生成し、その交流電力を給電コイル６６に供給する。
制御部７０は、充電装置６０の外部から供給される直流電力によって動作し、充電開始及び終了の制御、給電コイル６６に流れる充電電流の制御などを行うように構成されている。
【００１４】
次に携帯電話機１０を充電装置６０によって充電する際の動作について説明する。
図５、図６に示すように、保護カバー４０が取着され折り畳み状態にある携帯電話機１０を充電装置６０に載置する。
この際、携帯電話機１０に取着された第２の保護カバー４４の輪郭を充電装置６０の第２当て付け面６２１２の輪郭と合致させると、受電コイル５０と給電コイル６６がそれぞれの中心が合致した状態で対向する。
ＤＣ／ＡＣコンバータ６８から給電コイル６６に交流電流が供給されているため、給電コイル６６から発生する電磁誘導用の磁界内に受電コイル５０が位置することになり、電磁誘導により受電コイル５０の両端から交流電力が出力される。
受電コイル５０の両端から出力された交流電力は整流部５２０２により整流され安定化電源部５２０４により直流電力に変換され、接続部５４、ケース側端子４６を介して携帯電話機１０の充電用端子２４に供給される。
これにより充電制御部２６の制御によってバッテリー２８の充電がなされ、バッテリー２８が満充電になると、充電制御部２６はバッテリー２８に対する充電を停止する。
【００１５】
本実施の形態によれば、落下時などの衝撃を緩和し、また、携帯電話機１０の外観をユーザーの好みに変化させる保護カバー４０を利用し、この保護カバー４０にカバー側端子４６と、受電コイル５０と、充電電源生成部５２と、接続部５４とを設けることによって、携帯電話機１０の小型化、低コスト化を妨げることがなく非接触充電機能を容易に実現することができる。
また、保護カバー４０を携帯電話機１０に取着するという極めて簡単な作業で、しかも、携帯電話機１０の改造を行なうことなく、非接触充電機能を携帯電話機１０にオプション的に後から追加することができ、ユーザーの使い勝手を高める上で有利となる。
【００１６】
また、本実施の形態の充電装置６０によれば、給電コイル６６の巻回中心を通る軸線が第２当て付け面６０１２の輪郭の中心を通るように設けられているので、携帯電話機１０に取着された第２の保護カバー４４の輪郭を第２当て付け面６２１２の輪郭と合致させれば、前記折り畳み状態にある携帯電話機１０の左側部を第１の当て付け面６２１０に載置しても、あるいは、携帯電話機１０の右側部を第１の当て付け面６２１０に載置しても、受電コイル５０の中心と給電コイル６６の中心とをほぼ一致させることができる。
したがって、携帯電話機１０を載置する方向に拘わらず、電磁誘導の効率を確保して充電動作を確実に行うことができ、操作性の向上を図る上でも有利となる。
【００１７】
また、本実施の形態の充電装置６０では、第２の当て付け面６０１２を第２の保護カバー４４の輪郭とほぼ同じ大きさか一回り大きな寸法の矩形状を呈する平坦面で形成した場合について説明したが、配線基板６４、給電コイル６６、ＤＣ／ＡＣインバータ６８、制御部７０を収容するケース６２を設け、このケース６２の平坦な上面に、第２の保護カバー４４の輪郭よりも若干大きな輪郭の凹部を形成し、この凹部の底部に当て付け面を形成し、この当て付け面の輪郭の中心と給電コイルの巻回中心を通る軸線とを一致させるようにしてもよい。
その場合には、携帯電話機１０に取着された第２の保護カバー４４を前記凹部に嵌め込むことで、携帯電話機１０を載置する方向に拘わらず、受電コイル５０の中心と給電コイル６６の中心とをほぼ一致させることができ、上述と同様に電磁誘導の効率を確保して充電動作を確実に行うことができ、操作性の向上を図る上でも有利となる。
【００１８】
（第２の実施の形態）
次に第２の実施の形態について説明する。
第２の実施の形態では、第２の保護カバー４４に太陽電池を組み込んだ点が第１の実施の形態と異なっている。
図８（Ａ）は携帯電話機１０に取着された状態における第２の保護カバー４４の構成を示す平面図、（Ｂ）は（Ａ）のＢ矢視図、（Ｃ）は（Ｂ）のＣ矢視図、（Ｄ）は（Ａ）のＤ矢視図、図９は携帯電話機１０、保護カバー４０の制御系の構成を示すブロック図である。なお、以下の実施の形態において、第１の実施の形態と同一または同様の箇所、部材には同一の符号を付して説明する。
【００１９】
図８に示すように、第２の保護カバー４４は、２つのカバー側端子４６と、配線基板４８と、太陽電池８０（太陽電池パネル）と、充電電源生成部８２と、接続部５４とを備える。
配線基板４８（プリント基板）は、第２の保護カバー４４の基板４４０２に設けられている。
配線基板４８の表面には、太陽電池８０と、充電電源生成部８２と、接続部５４とが設けられ、配線基板４８の裏面は基板４４０２の表面の一部を構成している。
図９に示すように、太陽電池８０は、外部から照射される光により電力を生成するものであり、日中の太陽光を十分浴びた状態で例えば７．２Ｖの電圧を出力することが可能である。
太陽電池８０は、第２の保護カバー４４の基板４４０２に設けられた開口を覆う透明板４４２０を介して外方に臨むように設けられている。透明板４４２０としては、例えば透明なアクリル板を採用できる。
充電電源生成部８２は、太陽電池８０から出力される電力を所望の電圧（例えば５ＶＤＣ）および電流に安定化して出力する安定化電源部で構成されている。
図８、図９に示すように、接続部５４は、カバー側端子４６と充電電源生成部８２とを接続するものであり、本実施の形態では、カバー側端子４６と充電電源生成部８２の出力端とを接続する配線部材によって構成されている。
【００２０】
次に携帯電話機１０を充電する際の動作について説明する。
保護カバー４０が取着された携帯電話機１０を太陽光線が当たる場所に置き、太陽光線が保護カバー４０の太陽電池８０に当たるように位置を調整する。
太陽光線の照射により太陽電池８０から生成された電力が充電電源生成部８２よって安定化された直流電力に変換され、接続部５４、ケース側端子４６を介して携帯電話機１０の充電用端子２４に供給される。
これにより充電制御部２６の制御によってバッテリー２８の充電がなされ、バッテリー２８が満充電になると、充電制御部２６はバッテリー２８に対する充電を停止する。
【００２１】
第２の実施の形態によれば、落下時などの衝撃を緩和し、また、携帯電話機１０の外観をユーザーの好みに変化させる保護カバー４０を利用し、この保護カバー４０に、カバー側端子４６と、太陽電池８０と、充電電源生成部８２と、接続部５４とを設けることによって、携帯電話機１０の小型化、低コスト化を妨げることがなく太陽電池による充電機能を容易に実現することができる。
また、保護カバー４０を携帯電話機１０に取着するという極めて簡単な作業で、しかも、携帯電話機１０の改造を行なうことなく、太陽電池による充電機能を携帯電話機１０にオプション的に後から追加することができ、ユーザーの使い勝手を高める上で有利となる。
【図面の簡単な説明】
【００２２】
【図１】（Ａ）は第１の実施の形態の保護カバー４０が装着される携帯電話機１０の正面図、（Ｂ）は（Ａ）のＢ矢視図、（Ｃ）は（Ａ）のＣ矢視図である。
【図２】（Ａ）は携帯電話機１０に保護カバー４０が取着された状態を示す平面図、（Ｂ）は（Ａ）のＢ矢視図、（Ｃ）は（Ｂ）のＣ矢視図、（Ｄ）は（Ａ）のＤ矢視図である。
【図３】（Ａ）は携帯電話機１０に取着された状態における第２の保護カバー４４の構成を示す平面図、（Ｂ）は（Ａ）のＢ矢視図、（Ｃ）は（Ｂ）のＣ矢視図、（Ｄ）は（Ａ）のＤ矢視図である。
【図４】第２の保護カバー４４のカバー側端子４６の斜視図である。
【図５】（Ａ）は保護カバー４０が取着された携帯電話機１０を充電装置６０に載置した状態を側方から見た図、（Ｂ）は（Ａ）のＢ矢視図である。
【図６】図５（Ｂ）のＣ矢視図である。
【図７】携帯電話機１０、保護カバー４０、充電装置６０の制御系の構成を示すブロック図である。
【図８】第２の実施の形態において携帯電話機１０に取着された状態における第２の保護カバー４４の構成を示す平面図、（Ｂ）は（Ａ）のＢ矢視図、（Ｃ）は（Ｂ）のＣ矢視図、（Ｄ）は（Ａ）のＤ矢視図である。
【図９】第２の実施の形態における携帯電話機１０、保護カバー４０の制御系の構成を示すブロック図である。
【符号の説明】
【００２３】
１０……携帯電話機、２４……充電用端子、１６……第２のケース１６、４０……保護カバー、４４……第２の保護カバー、４６……カバー側端子、５０……受電コイル、５２……充電電源生成部、５４……接続部、６０……充電装置、６２……ケース、６２１２……第２の当て付け面、６８……ＤＣ／ＡＣインバータ、６６……給電コイル、８０……太陽電池、８２……充電電源生成部。
【図１】
0004635918.tif 000002
【図２】
0004635918.tif 000003
【図３】
0004635918.tif 000004
【図４】
0004635918.tif 000005
【図５】
0004635918.tif 000006
【図６】
0004635918.tif 000007
【図７】
0004635918.tif 000008
【図８】
0004635918.tif 000009
【図９】
0004635918.tif 000010